【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
インサートと、
工具体と、
前記インサートを前記工具体に固定するように構成されたクランプと、を組み合わせで含む工具アセンブリであって、
前記インサートは、
対向するインサート第１および第２側面と、
前記インサート側面と平行にそれらの間の中ほどに位置するインサート平面と、
前記インサート側面を連結しているインサート外周面と、
前記切削インサートの上背部分に位置する第１コーナー領域と、
前記切削インサートの上前部分に位置する第２コーナー領域と、
前記切削インサートの下前部分に位置する第３コーナー領域と、
前記切削インサートの下背部分に位置する第４コーナー領域と、を含み、
前記インサート外周面は、
前記第１コーナー領域から前記第２コーナー領域に延びる外周上部サブ表面と、前記第２コーナー領域から前記第３コーナー領域に延びる外周前部サブ表面と、前記第３コーナー領域から前記第４コーナー領域に延びる外周下部サブ表面と、前記第４コーナー領域から前記第１コーナー領域に延びる外周背部サブ表面と、を含み、
前記第１コーナー領域は、
前記外周上部サブ表面に形成され、前記外周背部サブ表面の前方に延びるインサート上部当接面と、前記外周背部サブ表面に形成され、前記外周上部サブ表面の下方に延びるインサート背部当接面と、を含み、
前記第２コーナー領域は、
前記インサート側面を連結し、前記外周上部および前部サブ表面の隣接部分よりも幅が広い刃先を含み、
前記第３コーナー領域は、
前記外周下部サブ表面に形成され、前記外周前部サブ表面の後方に延びるインサート第１下部当接面と、
前記外周下部サブ表面に形成され、前記インサート第１下部当接面の下方に延びるインサート第２下部当接面と、を含み、
前記工具体は、工具体コーナーを含み、前記工具体コーナーは、
対向する工具体第１および第２側面と、前記工具体側面と平行にそれらの間の中ほどに位置する工具体平面と、前記工具体側面を連結している工具体外周面と、前記工具外周面と工具体第１および第２側面との交差部に形成された剛性インサートシートと、を含み、
前記工具体コーナーの前記工具体外周面は、
前記インサートシートの後方に延びる工具体上部サブ表面と、
前記インサートシートの下方に延びる工具体前部サブ表面と、をさらに含み、
前記インサートシートは、前記工具体外周面に沿って、
前記工具体前部サブ表面の後方に延びる工具体第１下部当接面と、前記工具体第１下部当接面の下方に延びる工具体第２下部当接面と、前記工具体上部サブ表面の下方に延びる工具体背部当接面と、前記工具体第２下部当接面と工具体背部当接面との間に延びる工具体逃げサブ表面と、を含み、
前記クランプは、
シャンクと、
前記シャンクから延び、クランプ−インサート当接面を含むクランプヘッドと、を含み、
前記インサートは、
前記クランプ−インサート当接面が前記インサート上部当接面に当接し、
前記工具体第１下部当接面が前記インサート第１下部当接面に当接し、
前記工具体第２下部当接面が前記インサート第２下部当接面に当接し、
且つ、前記工具体背部当接面が前記インサート背部当接面に当接する、という当接構成によって前記工具体に固定され、
前記クランプ−インサート当接面が前記インサート上部当接面に当接することにより生じる第１締付け力Ｆ１は、前記インサートの外周前部サブ表面の後方に下向き方向に向かわされ、
前記工具体第２下部当接面が前記インサート第２下部当接面に当接することにより生じる第２締付け力Ｆ３は、前記工具体背部当接面が前記インサート背部当接面に当接する、下方領域の方に後方向に向かわされる、工具アセンブリ。
【請求項２】
前記インサートが、前記インサート背部当接面に隣接しその下方に配置され後方を向くインサート背部非当接面を含み、前記工具体逃げサブ表面が、前記工具体背部当接面に隣接してその下方に配置され、前方を向く工具体背部非当接面を含み、背部逃げギャップが前記インサート背部非当接面と前記工具体背部非当接面とを隔てる、請求項１に記載の工具アセンブリ。
【請求項３】
背部逃げギャップが、前記インサートの後方に配置され、前記インサートの第４コーナー領域と前記工具体逃げサブ表面とを隔てる、請求項１または２に記載の工具アセンブリ。
【請求項４】
前記背部逃げギャップの少なくとも一部が、前記工具体背部当接面の後方に延びる、請求項３に記載の工具アセンブリ。
【請求項５】
工具体逃げ陥凹部が、前記インサートの下方に配置され、前記インサートの第４コーナー領域と前記工具体逃げサブ表面とを隔てる、請求項１〜４のいずれか一項に記載の工具アセンブリ。
【請求項６】
背部逃げギャップが、前記インサートの後方に配置され、前記インサートの第４コーナー領域と前記工具体逃げサブ表面とを隔て、工具体逃げ陥凹部が前記インサートの下方に配置され、前記インサートの第４コーナー領域と前記工具体逃げサブ表面とを隔て、前記背部逃げギャップが前記工具体逃げ陥凹部と連接する、請求項１〜５のいずれか一項に記載の工具アセンブリ。
【請求項７】
前記工具体第２下部当接面およびインサート第２下部当接面が、それぞれ横緊締アレンジメントを含み、前記工具体第２下部当接面の前記横緊締アレンジメントは前記インサートシートの唯一の前記横緊締アレンジメントである、請求項１〜６のいずれか一項に記載の工具アセンブリ。
【請求項８】
前記インサートが前記インサートシート中で装着非締付け状態のとき、前記インサートは自由に取り外し可能である、請求項１〜７のいずれか一項に記載の工具アセンブリ。
【請求項９】
前記インサート第２下部当接面が前記インサート背部当接面よりも低く延びる、請求項１〜８のいずれか一項に記載の工具アセンブリ。
【請求項１０】
前記インサート第２下部当接面が前記外周背部サブ表面よりも低く延びる、請求項１〜９のいずれか一項に記載の工具アセンブリ。
【請求項１１】
前記外周前部サブ表面が前記インサート背部当接面よりも低く延びる、請求項１〜１０のいずれか一項に記載の工具アセンブリ。
【請求項１２】
前記外周前部サブ表面が前記外周背部サブ表面よりも低く延びる、請求項１〜１１のいずれか一項に記載の工具アセンブリ。
【請求項１３】
前記インサートは、前記外周背部サブ表面の最後方点から前記外周前部サブ表面の前方点まで延びるインサート奥行きを有しており、前記インサートの高さと奥行きとの差が２５％より小さい、請求項１〜１２のいずれか一項に記載の工具アセンブリ。
【請求項１４】
少なくともクランプ後方ヘッド部分のクランプ上部面にリッジが設けられる、請求項１〜１３のいずれか一項に記載の工具アセンブリ。
【請求項１５】
クランプ後方ヘッド部分が平坦形状のクランプ−工具体当接面を有する、請求項１４に記載の工具アセンブリ。
【請求項１６】
（ｉ）前記クランプのクランプ−インサート当接面が前記インサート上部当接面に当接し、同時に、（ｉｉ）クランプのクランプ−工具体当接面が、前記クランプ穴及前記工具体上部サブ表面から上方に前記インサートシートに向く工具体−クランプ当接面に当接する、請求項１〜１５のいずれか一項に記載の工具アセンブリ。
【請求項１７】
前記インサートの前記刃先が、少なくとも、前記インサートシートを含む前記工具体の前記コーナーよりも幅が広い、請求項１〜１６のいずれか一項に記載の工具アセンブリ。
【請求項１８】
前記インサートの前記刃先が、前記工具体全体の残りの部分よりも幅広である、請求項１７に記載の工具アセンブリ。
【請求項１９】
クランプ穴が前記工具体上部サブ表面沿いに配置され、前記工具体背部当接面に隣接している、請求項１〜１８のいずれか一項に記載の工具アセンブリ。
【請求項２０】
前記クランプ穴が下後方向に傾斜している、請求項１９に記載の工具アセンブリ。
【請求項２１】
前記クランプのシャンクは螺刻がなく、止めねじが、前記工具体前部サブ表面に形成された止めねじ穴を占め、前記止めねじが前記クランプ中に形成された前部陥凹部と係合する、請求項１〜２０のいずれか一項に記載の工具アセンブリ。